(57)【要約】【課題】製造に掛かる労働力を減らすことができる傘を提供する。【解決手段】傘１は、中棒２１に対して傘骨３が連結された骨２と、一の傘生地により構成され、傘骨３に被さるカバー５とを備える。カバー５は傘骨３に接着されている。【選択図】図１
2018183557.tif 000002
【特許請求の範囲】
【請求項１】
中棒に対して傘骨が連結された骨と、
一の傘生地により構成され、前記傘骨に被さるカバーと
を備え、
前記カバーは前記傘骨に接着されている
ことを特徴とする傘。
【請求項２】
前記傘骨は、カバーが被さる複数の親骨を有し、
前記カバーは、前記複数の親骨の各々の長手方向の中間部に対して接着されている
ことを特徴とする請求項１記載の傘。
【請求項３】
前記カバーの外周に設けられたパイピングをさらに備え、
前記パイピングには、前記傘骨の露先が挿入されて、前記露先に引っ掛けられる固定孔を有する
ことを特徴とする請求項１又は請求項２記載の傘。
【請求項４】
前記露先は、前記固定孔の内径よりも大きい基部と、前記固定孔の各々の内径と同じかそれよりも小さい尖頭部とを有している
ことを特徴とする請求項３記載の傘。
【請求項５】
前記露先は、錘状に形成されている
ことを特徴とする請求項４記載の傘。
【請求項６】
前記固定孔と前記露先とが接着されている
ことを特徴とする請求項３〜５のいずれか一項に記載の傘。
【請求項７】
前記傘骨は、前記中棒に回転可能に接続された第１の親骨体と、前記第１の親骨体に回転可能に接続された第２の親骨体とを備え、
前記カバーは、前記第１の親骨体における前記第２の親骨体側の端部に接着されていることを特徴とする請求項１〜６のいずれか一項に記載の傘。
【請求項８】
前記第２の親骨体に対して、回転可能に接続された第３の親骨体をさらに備え、
前記カバーは、前記第３の親骨体に接着されている
ことを特徴とする請求項７に記載の傘。
【発明の詳細な説明】
【技術分野】
【０００１】
本発明は、傘に関する。
【背景技術】
【０００２】
従来の傘は、複数の扇形状の傘生地の端部同士を、縫製又は超音波溶着によって繋ぎ合わせることでカバーを構成していた。しかし、複数の扇形状の傘生地を繋ぎ合わせたカバーを有する傘は、外観が損なわれる上に、製作にも手間が掛かる。
【０００３】
ここで、特許文献１には、従来の傘が開示されている。この特許文献１記載の傘は、複数の扇形状の傘生地を繋ぎ合わせることなく、一の傘生地でカバーが構成されている。
【先行技術文献】
【特許文献】
【０００４】
【特許文献１】中国実用新案第２０１９４８１５９号明細書
【発明の概要】
【発明が解決しようとする課題】
【０００５】
しかしながら、この特許文献１記載の傘は、カバーと傘骨とが、小さな生地を介して固定されている。小さな生地は、カバーに対し、縫製又は超音波溶着により、固定されている。
【０００６】
このため、この特許文献１記載の傘は、一の傘生地でカバーが構成されていることで、カバー自体の製作の面倒さは解決できたものの、傘骨とカバーとの固定については、依然として手間が掛かっていた。
【０００７】
本発明は、上記事情に鑑みてなされたものであり、その目的は、製造に掛かる労働力を減らすことができる傘を提供することである。
【課題を解決するための手段】
【０００８】
本発明に係る一態様の傘は、中棒に対して傘骨が連結された骨と、一の傘生地により構成され、前記傘骨に被さるカバーとを備え、前記カバーは前記傘骨に接着されていることを特徴とする。
【発明の効果】
【０００９】
本発明の傘によれば、製造に掛かる労働力を減らすことができる。
【図面の簡単な説明】
【００１０】
【図１】図１は、本発明の実施形態１の傘の斜視図である。
【図２】図２は、図１のＡ部分の拡大斜視図である。
【図３】図３は、本発明の実施形態２の傘の斜視図である。
【図４】図４Ａは、同上の傘の折り畳み途中を示す斜視図である。図４Ｂは、図４ＡのＢ部分の構造を説明する拡大図である。
【発明を実施するための形態】
【００１１】
以下、本発明の一実施形態に係る傘について、図１〜４を参照して説明する。ただし、以下に説明する実施形態は、本発明の様々な実施形態の一つに過ぎない。以下の実施形態は、本発明の目的を達成できれば、設計などに応じて種々の変更が可能である。
【００１２】
〔実施形態１〕
実施形態１の傘１は、図１に示すように、いわゆる長傘である。傘１は、骨２と、カバー５と、手元６とを備えている。
【００１３】
骨２は、中棒２１と、傘骨３と、石づき２２と、上ロクロ２３と、下ロクロ２４とを備えている。中棒２１は、一方向に延びており、直線状に形成されている。中棒２１は、金属製の中空パイプや、中軸状の棒により構成される。以下、中棒２１の長手方向を上下方向として定義し、特に、石づき２２側を上側とし、手元６側を下側として定義する。
【００１４】
傘骨３は、カバー５を張った状態でカバー５を支持する。傘骨３は、カバー５に沿って延びる複数の親骨３１（本実施系形態では８本）と、複数の親骨３１と中棒２１とをつなぐ複数の受け骨３７とを備えている。中棒２１と複数の親骨３１とは、上ロクロ２３を介して接続されている。複数の親骨３１は、上ロクロ２３に対し、上下方向に直交する軸回りに回転可能に接続されている。上ロクロ２３は、中棒２１に対して固定されている。受け骨３７は、一端が、親骨３１にダボ３６を介して接続されており、他端が、下ロクロ２４を介して中棒２１に接続されている。ダボ３６は、親骨３１の長手方向の中間部に形成されている。
【００１５】
下ロクロ２４は、筒状に形成された樹脂体により構成される。下ロクロ２４は、中棒２１に対して同心状でかつ外周を囲むように形成されており、中棒２１に対して長手方向に移動可能に取り付けられている。下ロクロ２４は、中棒２１から突出した上ハジキ３８によって、下方への移動が規制される。上ハジキ３８は、中棒２１の内側から外側に向かって弾性力を有しており、中棒２１の内側に向かって押すと、弾性的に中棒２１の内部に入り込む。
【００１６】
上ハジキ３８を押し込んだ状態で、中棒２１に沿って下ロクロ２４を下方に移動させると、受け骨３７が親骨３１を引き下げ、親骨３１が中棒２１に沿うようにして畳まれる（傘骨３が閉じる）。一方、中棒２１に沿って下ロクロ２４を上方に移動させると、受け骨３７が親骨３１を押し上げ、下ロクロ２４が上ハジキ３８に引っ掛かると、親骨３１が中棒２１にほぼ直交する状態となる（傘骨３が開く）。これらの動作を、傘骨３が開閉するという。
【００１７】
傘骨３は、親骨３１の先端に取り付けられた露先４を有する。本実施形態の露先４は、図２に示すように、錘状に形成されており、より具体的には、略円錐状に形成されている。露先４は、基部４１と、尖頭部４２とを有している。基部４１は、底面が円形をしており、親骨３１の長手方向に一定の長さを有する。基部４１は、後述のカバー５のパイピング５１の固定孔５２よりも径が大きい部分を言う。尖頭部４２は、基部４１から延びている。尖頭部４２は、後述のカバー５のパイピング５１の固定孔５２と同じか又はそれよりも径が小さい部分を言う。尖頭部４２の先端は、球面状に形成されている。基部４１と尖頭部４２とは一体に形成されている。
【００１８】
なお、露先４の形状は、円錐状に限らず、角柱状に形成されてもよいし、球状に形成されてもよい。
【００１９】
カバー５は、図１に示すように、傘骨３に被さり、使用時に雨を受ける部分である。カバー５は、例えばポリエステルである。カバー５は、一の傘生地により構成されており、縫い目が存在しない。なお、ここでいう「縫い目が存在しない」とは、複数の布を縫い合わせて１つのカバー５を形成したものではないという意味であり、後述のパイピング５１を形成するための縫い目や、胴ネームを縫い付けるための縫い目は含まない。カバー５は、傘１の上方から見て（平面視という）多角形上（本実施形態では八角形状）に形成されている。カバー５は、その外周にパイピング５１が形成されている。
【００２０】
パイピング５１は、カバー５の外周に形成された縁飾である。パイピング５１は、カバー５の縁をバイアステープでくるんで当該バイアステープを縫い付けたり、あるいは、カバー５の外周縁を折り返して縫い付けたりして形成される。パイピング５１は、カバー５の外周の全周にわたって形成されている。パイピング５１は、図２に示すように、露先４が引掛けられる複数の固定孔５２を有している。
【００２１】
固定孔５２は、パイピング５１を貫通する。固定孔５２は、露先４の尖頭部４２が挿入され、かつ露先４の基部４１が入らないサイズに形成されている。固定孔５２は露先４に一対一で対応するように形成されている。本実施形態において、固定孔５２と露先４とは、固定孔５２に露先４が挿入された状態で引掛けられており、さらに、固定孔５２と露先４とが接着されている。従って、固定孔５２と露先４とは互いに縫い合わされていない。
【００２２】
なお、カバー５と露先４との固定は、固定孔５２に露先４が挿入された状態で、カバー５と露先４とを縫い合わせてもよいし、固定孔５２を設けずに、カバー５と露先４とを縫い合わせてもよい。また、固定孔５２と露先４とは、接着されなくてもよく、引っ掛けただけで互いに固定されてもよい。
【００２３】
カバー５は、複数の親骨３１に対して接着されている。カバー５は、すべての親骨３１に対し、例えば、ダボ３６の位置で、部分的に接着されている。ダボ３６は、親骨３１の中間部に設けられているため、カバー５は、親骨３１の長手方向の中間部に接着されている。
【００２４】
カバー５と親骨３１、及びカバー５と露先４との接着は、防水性の接着剤を用いることが好ましい。防水性の接着剤とは、耐水性の高い接着剤であり、例えば、シリコン系接着剤，ウレタン系接着剤，アクリル系接着剤，ゴム系接着剤，又はエポキシ系接着剤等が挙げられる。
【００２５】
カバー５は、親骨３１に被され、パイピング５１が露先４に引っ掛けられた状態で、ｋバー５と親骨３１とが接着される。この状態で、中棒２１の上端部に対し、カバー５の上方から石づき２２が取り付けられる。また、中棒２１の下端には、手元６が取り付けられる。手元６は、円筒状に形成されているが、例えばＪ字状に形成されてもよい。
【００２６】
このように構成された傘１は、カバー５が一の傘生地によって構成されているため、少ない裁断工程でカバー５の製作が可能であり、製造性が高い（製作工程と労働力を省略できる）。また、カバー５に対し傘生地が接着により取り付けられているため、縫製された跡がなく、外観がよい上に、防水性も高い。
【００２７】
さらに、本実施形態の傘１は、露先４とカバー５とが接着されているため、縫い合わせる工程を極力減らすことができるため、製造コストをできる限り減らすことができる。
【００２８】
〔実施形態２〕
次に、実施形態２について説明する。なお、実施形態２は、実施形態１と大部分において同じであるため、同じ部分においては同符号を付して説明を省略し、主に異なる部分について説明する。
【００２９】
実施形態２の傘１は、図３に示すように、いわゆる折り畳み傘である。傘１は、骨２と、カバー５と、手元６とを備えている。
【００３０】
骨２は、中棒２１と、傘骨３と、石づき２２と、上ロクロ２３と、下ロクロ２４とを備えている。中棒２１，石づき２２，上ロクロ２３，下ロクロ２４は、実施形態１の傘１と同じ構成であるため、説明を省略する。傘骨３は、親骨３１と、受け骨３７とを備えている。本実施形態の親骨３１は、第１の親骨体３２と、第２の親骨体３３と、第３の親骨体３４とを備えている。
【００３１】
受け骨３７は、中棒２１と第１の親骨体３２とをつなぐ。受け骨３７と第１の親骨体３２とはダボ３６を介して接続されている。また、受け骨３７と中棒２１とは下ロクロ２４を介して接続されている。
【００３２】
第１の親骨体３２は、中棒２１と上ロクロ２３を介して接続されている。第１の親骨体３２は、上ロクロ２３に対し、上下方向に直交する軸回りに回転可能に接続される。第１の親骨体３２の上ロクロ２３とは反対側の端部には、第２の親骨体３３が回転可能に接続される。
【００３３】
第２の親骨体３３は、図４Ｂに示すように、第１の親骨体３２の長手方向に直交する軸回りに回転可能である。第２の親骨体３３は、第１の親骨体３２の延長線よりも上方の範囲で回転可能に構成される。より具体的に、第２の親骨体３３の回転範囲は、第１の親骨体３２の延長線上に重なる位置から第１の親骨体３２に隣接する位置までである。第２の親骨体３３の第１の親骨体３２とは反対側の端部には、第３の親骨体３４が回転可能に接続される。
【００３４】
第３の親骨体３４は、第２の親骨体３３に対して接続具３５を介して回転可能に接続される。第３の親骨体３４は、第２の親骨体３３の長手方向に直交する軸回りに回転可能である。第３の親骨体３４の回転範囲は、第２の親骨体３３の延長線よりも下方の範囲で回転可能に構成される。より具体的に、第３の親骨体３４の回転範囲は、第２の親骨体３３の延長線上に重なる位置から第２の親骨体３３に隣接する位置までである。
【００３５】
カバー５は、親骨３１の長手方向の中間部に対して接着されている。具体的に、カバー５は、第１の親骨体３２と、第３の親骨体３４とに接着されている。より具体的に言うと、カバー５は、図４Ｂに示すように、第１の親骨体３２の第２の親骨体３３側の端部（Ｃ部分）に接着されている。また、カバー５は、第３の親骨体３４において接続具３５で接着されている。
【００３６】
図４Ａに示すように、中棒２１に対して下ロクロ２４を下方に移動させると、傘１を閉じると同時に折り畳むことができる。中棒２１に対して下ロクロ２４を下方に移動させると、第１の親骨体３２が下方に回転すると共に、第２の親骨体３３が上方に回転し、さらに、第３の親骨体３４が下方に回転する。このとき、カバー５は、第１の親骨体３２の第２の親骨体３３側の端部に接着されているため、第１の親骨体３２によって下方に引き込まれる。また、カバー５は、第３の親骨体３４の第２の親骨体３３側の端部に接着されているため、カバー５が親骨３１に対してずれにくい。
【００３７】
したがって、本実施形態の傘１は、折り畳んだり、開いたりしたときに、しわになりにくく、また、傘骨３に対してカバー５がずれるのを抑制することができる。
【００３８】
このように構成された傘１は、実施形態１の傘１と同様に、カバー５が一の傘生地によって構成されているため、少ない裁断工程でカバー５の製作が可能であり、製造性が高い。また、カバー５に対し傘生地が接着により取り付けられているため、縫製された跡がなく、外観がよい上に、防水性も高い。
【００３９】
〔応用〕
実施形態１の傘１の親骨３１は、８本であったが、例えば、３本であってもよいし、５０本であってもよく、特に限定されない。一般的な傘１は、親骨３１として３〜５０本が好ましい。
【００４０】
実施形態１，２のカバー５は、例えば、ポリエステル製であるが、材質は特に限定されない。
【００４１】
実施形態１，２の傘骨３は、金属製であるが、樹脂製であってもよく、材質は特に限定されない。
【００４２】
実施形態２の傘骨３は、第１の親骨体３２と第２の親骨体３３と第３の親骨体３４とを有していたが、第３の親骨体３４はなくてもよい。つまり、傘骨３は、第１の親骨体３２と第２の親骨体３３とで構成されてもよい。
【００４３】
その他、上記実施形態の構成は、本発明の主旨を逸脱しない範囲であれば、適宜設計変更を行うことができる。
【００４４】
〔効果〕
以上説明した実施形態１，２の傘１は、以下に示す特徴を有している。すなわち、実施形態１，２の傘１は、中棒２１に対して傘骨３が連結された骨２と、傘骨３に被さるカバー５とを備える。カバー５は、一の傘生地により構成される。カバー５は傘骨３に接着されている。
【００４５】
この構成によれば、カバー５が一の傘生地によって構成されているため、少ない裁断工程でカバー５の製作が可能であり、製造に掛かる労働力を減らすことができる。また、カバー５に対し傘生地が接着により取り付けられているため、縫製された跡がなく、外観がよい上に、防水性も高い。
【００４６】
また、実施形態１，２の傘１は、以下の付加的な構成を備える。すなわち、実施形態１，２の傘骨３は、カバー５が被さる複数の親骨３１を有する。カバー５は、各親骨３１の長手方向の中間部に対して接着されている。この構成によれば、傘１を閉じたときにも、カバー５が親骨３１から離れるのを防ぐことができる。
【００４７】
また、実施形態１，２の傘１は、以下の付加的な構成を備える。すなわち、実施形態１，２の傘１は、カバー５の外周に設けられたパイピング５１をさらに備える。パイピング５１には、傘骨３の露先４が挿入されて、露先４に引っ掛けられる固定孔５２を有する。この構成によれば、傘１を開いたときに、カバー５にしわが発生するのを抑制できる。
【００４８】
また、実施形態１，２の傘１は、以下の付加的な構成を備える。すなわち、実施形態１，２の露先４は、固定孔５２の各々の内径よりも大きい基部４１と、固定孔５２の各々の内径と同じかそれよりも小さい尖頭部４２とを有している。この構成によれば、露先４とカバー５とを簡単な構成で固定することができる。
【００４９】
また、実施形態１，２の傘１は、以下の付加的な構成を備える。すなわち、実施形態１，２の露先４は、錘状に形成されている。この構成によれば、露先４を簡単な構成とすることができる。
【００５０】
また、実施形態１，２の傘１は、以下の付加的な構成を備える。すなわち、実施形態１，２の露先４は、固定孔５２と露先４とが接着されている。この構成によれば、露先４とカバー５とが接着されているため、縫い合わせる工程を極力減らすことができるため、製造コストをできる限り減らすことができる。
【００５１】
また、実施形態２の傘１は、以下の付加的な構成を備える。すなわち、実施形態２の傘骨３の各々は、中棒２１に回転可能に接続された第１の親骨体３２と、第１の親骨体３２に回転可能に接続された第２の親骨体３３とを備える。カバー５は、第１の親骨体３２における第２の親骨体３３側の端部に接着されている。この構成によれば、第１の親骨体３２と第２の親骨体３３とを有する折り畳み傘１において、折り畳み時にカバー５が適切に折り畳まれる構造を保ちながらも、傘１の製造性を向上することができる。
【００５２】
また、実施形態２の傘１は、以下の付加的な構成を備える。すなわち、実施形態２の傘１は、第２の親骨体３３に対して回転可能に接続された第３の親骨体３４をさらに備える。カバー５は、第３の親骨体３４に接着されている。この構成によれば、傘１を開閉したときに、傘骨３に対してカバー５がずれるのを抑制することができる。
【符号の説明】
【００５３】
１      傘
２      骨
２１    中棒
３      傘骨
３１    親骨
３２    第１の親骨体
３３    第２の親骨体
３４    第３の親骨体
４      露先
４１    基部
４２    尖頭部
５      カバー
５１    パイピング
５２    固定孔
【図１】
2018183557.tif 000003
【図２】
2018183557.tif 000004
【図３】
2018183557.tif 000005
【図４】
2018183557.tif 000006